(57)【特許請求の範囲】
【請求項１】
タイムレコーダー本体の上面に開口したタイムカード用差込口の手前側に、複数個のスイッチ用押釦を横に並べて設け、これ等各スイッチ用押釦を押すことによって、出退勤を選定したりタイムレコーダーの動作モードを選択するように構成したタイムレコーダー用押釦スイッチ装置であって、
上記押釦スイッチ装置の全体を、上記タイムカードの差込口の下側に沿って設けたタイムカード用カードガイドフレームに組付けて取付けた押釦ブラケットと、この押釦ブラケットの内部に取付けたプリント回路基板と、プリント回路基板の前面に対して、上記タイムカード用カードガイドフレームとは反対の方向に突出した状態で横に並べて設けた上記出退勤選定用と動作モード選択用の複数のＯＮ／ＯＦＦスイッチと、これ等各ＯＮ／ＯＦＦスイッチ毎に設けた前記のスイッチ用押釦とによって構成すると共に、
上記各スイッチ用押釦は、その全体をタイムレコーダーの正面側から見て手前側に長く大き目に、且つ、手前側の端部底面に斜め下方に突出する押圧片を連設した形状に形成すると共に、奥側端部の底部側を上記押釦ブラットの上端部側に作動自在に組付け、且つ、上記各押圧片の先端部を上記ＯＮ／ＯＦＦスイッチの夫々に近接又は当接させて、スイッチ用押釦を押すと押圧片がＯＮ／ＯＦＦスイッチを押してスイッチＯＮし、押圧を解くとＯＮ／ＯＦＦスイッチが押圧片を押し戻してスイッチＯＦＦするように構成したことを特徴とするタイムレコーダー用押釦スイッチ装置。
【請求項２】
各スイッチ用押釦の先端部にストッパーを突設し、上記押釦ブラケットの上縁部には、上記の各ストッパーを受入れる穴状又は溝状のストッパー部を設けて、スイッチ用押釦が押されて押圧片がＯＮ／ＯＦＦスイッチをＯＮすると、上記のストッパーがストッパー部穴又は溝に係合して、スイッチ用押釦の可動を制限するように構成したことを特徴とする請求項１記載のタイムレコーダー用押釦スイッチ装置。
【請求項３】
各ＯＮ／ＯＦＦスイッチを取付けた上記のプリント基板に、各ＯＮ／ＯＦＦスイッチ毎にＯＮ／ＯＦＦスイッチがスイッチＯＮすると点灯するＬＥＤを取付けると共に、上記各スイッチ用押釦の一部には、点灯したＬＥＤの光を透過させる透光部を設けたことを特徴とする請求項１記載のタイムレコーダー用押釦スイッチ装置。
【請求項４】
押釦ブラケットの全体を、上面に開口部を有する外部ブラケットの内部に、内部ブラケットを組み込んで係合した内外二重のブロック構造に構成する一方、上記の内部ブラケットを、一側を開口し、他側には前記のタイムレコーダー用ガイドフレームに対向してガイド通路を構成するガイド板を設けた全体が略長方形状を成す箱状に形成して、この一側を開口した箱部分の内側に前記のプリント回路基板を取付けると共に、上記内ブラケットの上側部に前記スイッチ用押釦の作動軸を回動自在に嵌込んで軸支する軸受け部を設け、上記外ブラケットの上側部には、前記スイッチ用押釦の可動を制限する穴状又は溝状のストッパー部を設けたことを特徴とする請求項１、２又は３記載のタイムレコーダー用押釦スイッチ装置。
【発明の詳細な説明】
【０００１】
【発明の属する技術分野】
本発明は、タイムレコーダー用押釦スイッチ装置に関するものであって、具体的には、タイムレコーダーの上面に並べて設けられていて、タイムカードに時刻を打刻印字する時の出退勤の選定や、タイムレコーダーの動作モードを選択する時等にこれ等をＯＮ操作することによって、出退勤を決定したり動作モードを設定できるように構成したタイムレコーダー用押釦スイッチ装置に関するものである。
【０００２】
【従来の技術】
タイムレコーダー用押釦スイッチ装置に関しては、従来より、例えば特開平８−９６１８９号公報に見られるように、タイムレコーダー本体の上面で、且つ、タイムカード用差込口の前面部分に、多数の押釦スイッチを並べて設けた構造のものが存在する。
【０００３】
【発明が解決しようとする課題】
しかし、上記従来の押釦スイッチ装置は、各押釦スイッチの全体の殆どを、ボックス状に造ったホルダーの内部に収めた状態に造られていて、利用者が指先で直接スイッチ操作するスイッチ用押釦の上端部（ヘッド）のみを、ボツクス状に造ったホルダーの内部よりレコーダー本体の上面に突出した構成に成っているため、タイムレコーダーを操作する上で最も重要なスイッチ用押釦が小さくて、操作がやりずらい問題があった。
【０００４】
また、上記従来の押釦スイッチ装置は、上記のスイッチ用押釦によってＯＮ／ＯＦＦされるスイッチや、このスイッチがＯＮすると点灯するＬＥＤ等を取付けたプリント回路基板が、上記ボツクス状に造ったホルダーの一側面を構成していて、スイッチやＬＥＤを接続した半田部がホルダーの外側面に露出しているため、このホルダーをタイムレコーダー本体に組付けたり、タイムレコーダー内部に対して各種メンテナンスを施したりする際に、上記の半田部が直接手に触れたり他の道具類や部品類等に接触したりして、半田付けが外れてしまうトラブルが発生していた。
【０００５】
更に加えて、上記従来の押釦スイッチ装置は、各スイッチ用押釦の回動を支持する軸受け部や、上記のスイッチ及びＬＥＤ等の各部品類が、いずれもボックス状に造ったホルダーの内部に収められた構造であるため、その製造加工と組立作業が非常に面倒で、製造コストを高くする問題があり、また、メンテナンスもやりずらくする問題もあった。
【０００６】
従って本発明の技術的課題は、スイッチ用押釦を大きく造って操作をやり易くすると共に、プリント回路基板の半田部を外部に露出しないように構成し、且つ、製造加工と組立作業が容易で故障も少く、メンテナンスも簡単に行えるように工夫したタイムレコーダー用押釦スイッチ装置を提供することである。
【０００７】
【課題を解決するための手段】
（１）  上記の技術的課題を解決するために、本発明では前記請求項１に記載の如く、タイムレコーダー本体の上面に開口したタイムカード用差込口の手前側に、複数個のスイッチ用押釦を横に並べて設け、これ等各スイッチ用押釦を押すことによって、出退勤を選定したりタイムレコーダーの動作モードを選択するように構成したタイムレコーダー用押釦スイッチ装置であって、上記押釦スイッチ装置の全体を、上記タイムカードの差込口の下側に沿って設けたタイムカード用カードガイドフレームに組付けて取付けた押釦ブラケットと、この押釦ブラケットの内部に取付けたプリント回路基板と、プリント回路基板の前面に対して、上記タイムカード用カードガイドフレームとは反対の方向に突出した状態で横に並べて設けた上記出退勤選定用と動作モード選択用の複数のＯＮ／ＯＦＦスイッチと、これ等各ＯＮ／ＯＦＦスイッチ毎に設けた前記のスイッチ用押釦とによって構成すると共に、上記各スイッチ用押釦は、その全体をタイムレコーダーの正面側から見て手前側に長く大き目に、且つ、手前側の端部底面に斜め下方に突出する押圧片を連設した形状に形成すると共に、奥側端部の底部側を上記押釦ブラットの上端部側に作動自在に組付け、且つ、上記各押圧片の先端部を上記ＯＮ／ＯＦＦスイッチの夫々に近接又は当接させて、スイッチ用押釦を押すと押圧片がＯＮ／ＯＦＦスイッチを押してスイッチＯＮし、押圧を解くとＯＮ／ＯＦＦスイッチが押圧片を押し戻してスイッチＯＦＦするように構成している。
【０００８】
（２）  また、本発明では前記請求項２に記載の如く、各スイッチ用押釦の先端部にストッパーを突設し、上記押釦ブラケットの上縁部には、上記の各ストッパーを受入れる穴状又は溝状のストッパー部を設けて、スイッチ用押釦が押されて押圧片がＯＮ／ＯＦＦスイッチをＯＮすると、上記のストッパーがストッパー部穴又は溝に係合して、スイッチ用押釦の可動を制限するように構成している。
【０００９】
（３）  また、本発明では前記請求項３に記載の如く、各ＯＮ／ＯＦＦスイッチを取付けた上記のプリント基板に、各ＯＮ／ＯＦＦスイッチ毎にＯＮ／ＯＦＦスイッチがスイッチＯＮすると点灯するＬＥＤを取付けると共に、上記各スイッチ用押釦の一部には、点灯したＬＥＤの光を透過させる透光部を設けるように構成している。
【００１０】
（４）  更に本発明では、前記請求項４に記載の如く、押釦ブラケットの全体を、上面に開口部を有する外部ブラケットの内部に、内部ブラケットを組み込んで係合した内外二重のブロック構造に構成する一方、上記の内部ブラケットを、一側を開口し、他側には前記のタイムレコーダー用ガイドフレームに対向してガイド通路を構成するガイド板を設けた全体が略長方形状を成す箱状に形成して、この一側を開口した箱部分の内側に前記のプリント回路基板を取付けると共に、上記内ブラケットの上側部に前記スイッチ用押釦の作動軸を回動自在に嵌込んで軸支する軸受け部を設け、上記外ブラケットの上側部には、前記スイッチ用押釦の可動を制限する穴状又は溝状のストッパー部を設けるように構成している。
【００１１】
上記（１）で述べた手段によれば、タイムレコーダー本体の上面で、而かも、タイムカード用差込口の手前側に並べて設けたスイッチ用押釦を押すことによって、これ等各押釦に連設した押圧片がＯＮ／ＯＦＦスイッチをＯＮして、出退勤を選定したり、タイムレコーダーの動作モードを選択したりすることができるものであるが、特に、各スイッチ用押釦を押釦ブラケットの外側の上縁部に作動自在に組付けた構造にしたので、各スイッチ用押釦を押釦ブラケットの大きさやスペース等に拘束されることなく、長目に大きく造ることができるため、タイムレコーダーを使用する上で重要な押釦スイッチの操作を適確に、且つ、容易に行うことを可能にすると共に、各スイッチ用押釦の組付け作業を簡単に行うことを可能にする。
【００１２】
上記（２）で述べた手段によれば、各スイッチ用押釦を押して押圧片がＯＮ／ＯＦＦスイッチをＯＮすると、各スイッチ用押釦に設けたストッパーがストッパー部に係合して、スイッチ用押釦の可動を制限するため、スイッチ用押釦を強く押し過ぎたり乱暴に押したりすることによって発生するＯＮ／ＯＦＦスイッチの破損や、押圧片の破損事故を防止できると共に、上記のストッパー部も上記のスイッチ用押釦と同様に押釦ブラケットの外側上縁部に設けられているため、各スイッチ用押釦のストッパーとストッパー部との組付け作業も簡単に行うことを可能にする。
【００１３】
上記（３）で述べた手段によれば、各スイッチ用押釦を全体に長目に大きく造ることができることから、このスイッチ用押釦の一部にＬＥＤの光を透過する透光部を設けて、ＯＮ／ＯＦＦスイッチがＯＮしてＬＥＤが点灯すると、その光を透光部を透して発光させるため、ＯＮ操作したスイッチ用押釦の頭を光らせて、操作状況を明確に目視確認させることができると共に、スイッチ用押釦はその透光部のみを集中的（限定的）に光らせるため、スイッチ用押釦の全体を光らせる場合に比較して、光を周辺に分散したり反射させたりすることがなく、その発光ポイントを限定的に確認できるものであって、光の拡散と反射による発光位置の間違いを防止して、どのスイッチ用押釦が現在発光中であるのか、即ち、ＯＮ状態にあるのかを正確に明示することを可能にする。
【００１４】
上記（４）で述べた手段によれば、複雑な構造の押釦ブラケットを内外二重のブロック構造に分割構成して、押釦ブラケットを含むタイムレコーダー全体の製造と組立てを頗る簡単にすることができ、且つ、面倒な各スイッチ用押釦の取付けも組付け作業（嵌込み作業）だけで極めて簡単に行うことができると共に、スイッチとＬＥＤを取付けたプリント回路基板を箱状に形成した内部ブラケットの内側に取付けることにより、その半田部が外部に露出しないようにしたため、半田部が直接手に触れたり他の道具類や部材等に触れたりして外れるトラブルの発生を無くして、タイムレコーダーの故障を少くすることを可能にする。
【００１５】
以上の如くであるから、上記（１）〜（４）に述べた手段によって上述した技術的課題を解決して、前記従来の技術の問題点を解消することができる。
【００１６】
【発明の実施の形態】
以下に、上述した本発明に係るタイムレコーダー用押釦スイッチ装置の実施の形態を図面と共に説明すると、図１は本発明を実施したタイムレコーダーの側断面図、図２はその要部を拡大して示した断面図、図３は図２のＡ−Ａ線に沿った断面図であって、図１に於いて符号１にて全体的に示したのはタイムレコーダー本体で、このタイムレコーダー本体１は、前面ケース体１Ａと、背板１Ｂと、この背板１Ｂを嵌め付けた後ケース体１Ｃと、上蓋１Ｄと、窓ガラス１Ｅを組合せることによって、全体を略ボックス状に構成すると共に、その上面部にタイムカード（図示省略）を差込むための差込口１Ｈを開口した構造に造られている。
【００１７】
図１乃至図３に於いて、３は上記タイムレコーダー本体１内に設けたフレーム枠、２，２はこのフレーム枠３をタイムレコーダー本体１内に支持する支持アーム、３Ａはフレーム枠３に一体形成したタイムカード用ガイドフレーム、５はフレーム枠３に架設したプリンタガイド軸６に取付けたプリンタ、７は支持フレーム７Ｘの前面に取付けた時計の文字盤、８と９は前記タイムカード差込口１Ｈの下側部分に設けたカード送りローラとガイドローラを示し、また、図２に於いて８Ｔは各ローラ軸８Ｒ，９Ｒを取付けた軸受板を示す。
【００１８】
１０は、上面の左右に突出した取付筒１０Ｋ内に、前記上蓋１Ｄの天井面に突設した取付突子１Ｋを嵌込むことによって、タイムレコーダー本体１の天井部の内側面に固定した外部ブラケットで、上面１０Ｂの中央部に開口部１０Ｃを備えるこの外部ブラケットの全体は、底面を開放した横長の略ボックス状に造られていて、その内部１０Ｈの中央に上記カード送りローラ８とガイドローラ９が位置し、また、前記タイムカード用ガイドフレーム３Ａの上端部３Ａ′が上記開口部１０Ｃの部分に下から突出していて、前記差込口１Ｈより差込まれて来るタイムカードの一側面をガイドするように構成されている。
【００１９】
１１は、上記外部ブラケット１０の内部１０Ｈに嵌込んで取付けた内部ブラケットで、一側を開口し、他側には前記のタイムカード用ガイドフレーム３Ａに間隔をあけて対向して、前記差込口１Ｈに通じるカード用ガイド通路１Ｗを構成するガイド板１１Ｄを設けたこの内部ブラケット１１は、全体が横に細長い略ボックス状に造られていて、その内部１１Ｈにはプリント回路基板１２が取付けられ、且つ、上記ガイド板１１Ｄの上端部１１Ａと中間部の左右両側に夫々突設したフック１１Ｘと１１Ｙを、上記タイムカード用ガイドフレーム３Ａの上端部３Ａ′の左右両側と中間部の左右両側に夫々係合することによって、上記のカードガイド通路１Ｗの間隔を保持した状態で、上記外部ブラケット１０の内部１０Ｈに組付けられる構成に成っていて、これ等内外二重のブラケット９，１０の組合せによって、図中符号Ｘで全体的に示した押釦ブラケットが構成される仕組に成っている。
【００２０】
更に図中、１１Ｃはガイド板１１Ｄの中間部に設けた前記ガイドローラ９の嵌込み用湾曲部、３Ｂはタイムカード用ガイドフレーム３Ａの途中に設けたカード受入れガイド、１１Ｔは内部ブラケット１１の上面に多数並設した断面略逆Ｌ字形状の軸受け部を示す。
【００２１】
次に、１５は全体を縦長に大きく形成したスイッチ用押釦、１５Ａはタイムレコーダーの正面側から見てスイッチ用押釦１５の先端側（奥側）底面の両側に突出した作動軸で、スイッチ用押釦１５は、実際には図３に示すように出退勤を選定し、且つ、タイムレコーダーの動作モードを選択するのに必要な数のものが、上記押釦ブラケットＸの上面横方向に間隔をあけて並べて設けられていて、夫々の両側に突設した作動軸１５Ａを、図２に示すように前記内部ブラケット１１の上面に設けた軸受け部１１Ｔに嵌込んで支持せしめることによって、夫々が作動軸１５Ａを支点にして上下回動できるように取付けられている。
【００２２】
図４は上記スイッチ用押釦１５を拡大して示した平面図、図５は図４のＢ−Ｂ線に沿った断面図であって、これ等両図並びに上述した図１乃至図３に於いて、１５Ｄはタイムレコーダーの正面側から見て各スイッチ用押釦１５の手前側端部の底面に、斜め下方に向けて突設した押圧片（押圧部）で、１３は外部ブラケット１０の上面に設けた穴（図示省略）を通してその内部１０Ｈに突出した各押圧片１５Ｄに対向させて、前記プリント回路基板１２に取付けた出退勤設定用、又は、動作モード選択用のＯＮ／ＯＦＦスイッチ、１４は各ＯＮ／ＯＦＦスイッチ１３毎にプリント回路基板１２に取付けたＬＥＤであって、このスイッチ用押釦１５を上から押下すると、押圧片１５がＯＮ／ＯＦＦスイッチ１３を押してスイッチＯＮし、出退勤を選定したりタイムレコーダーの動作モードを設定すると共に、このスイッチ１３の上側に設けたＬＥＤ１４が点灯して発光する仕組に成っている。
【００２３】
また、これ等各ＯＮ／ＯＦＦスイッチ１３及びＬＥＤ１４を取付けたプリント回路基板１２の各半田部は、いずれも図２並びに図５に於いて右側の側面（背面）に設けられていて、押釦ブラケットＸの外部からは直接手で触れたり、道具類等では不用意に触れられない構成に成っている。
【００２４】
更に図中、１５Ｂは各スイッチ用押釦１５の先端側（奥側）底面部に突設したストッパーで、略Ｌ字状に上向きに屈曲したこのストッパー１５Ｂの先端部は、前記外部ブラケット１０の上面１０Ｂの縁に形成した穴構造、又は、溝構造に構成したストッパー部１０Ｘの内部に嵌込まれていて、スイッチ用押釦１５を上から押して押圧片１５ＤがＯＮ／ＯＦＦスイッチ１３をＯＮすると、上記のストッパー１５Ｂがストッパー部１０Ｘに係合してスイッチ用押釦１５の可動を制限し、更に、各スイッチ用押釦１５の手前側底面部に設けた制止板１５Ｃも外部ブラケット１０の上面に当るため、スイッチ用押釦１５の押し過ぎや乱暴な操作によるＯＮ／ＯＦＦスイッチ１３の破損や、押圧片１５Ｄの破損を防止することができる仕組に成っている。
【００２５】
図４に於いて、１５Ｒは上記長く大き目に造ったスイッチ用押釦１５の一部に設けた透光部で、光を透過する透明部材又は半透明部材を用いたり、スイッチ用押釦１５に直接穴を穿って構成したこの透光部１５Ｒは、前記ＬＥＤ１４の光を透してタイムレコーダー本体１の外部から目視確認できる構成に成っており、従って、スイッチ用押釦１５を押してＯＮ／ＯＦＦスイッチ１３をスイッチＯＮすると、ＬＥＤ１４の発光によってスイッチ用押釦１５の頭が光った状態になるため、どのスイッチ用押釦１５を操作したのかをこの光を見て判断することができる。
【００２６】
上記スイッチ用押釦１５を押している手を離すと、上記ＯＮ／ＯＦＦスイッチ１３が突出して押圧片１５Ｄを押すため、スイッチ用押釦１５の全体を図１や図５に示した元の状態に押し戻してスイッチＯＦＦと成るが、通常の場合、保持回路が働いてＯＮ状態が維持されるため、次の操作が行われるまで選定された出勤モード又は退勤モードで時刻が記録され、また、選択された動作モードでタイムレコーダーが作動すると共に、この間ＬＥＤ１４が点灯し続けて、出退勤の選定状態と選択した動作モードを明示することができる。
【００２７】
尚、図３に於いて１１Ｚ，１１Ｚは内部ブラケット１１の左右両側面に突設した係止突起で、これ等の係止突起１１Ｚ，１１Ｚを外部ブラケット１０の外側壁１０Ｚ，１０Ｚに形成した係止溝又は係止穴に係合させることによって、前述したフック１１Ｘ，１１Ｙをタイムカード用ガイドフレーム３Ａ側に係合する点と相俟って、内部ブラケット１１を外部ブラケット１０の内部に確実に取付けることができる仕組に成っているが、この取付構造は実施の一例であって、取付構造が図示したものに限定されないことは勿論である。
【００２８】
【発明の効果】
以上述べた如く、本発明に係るタイムレコーダー用押釦スイッチ装置によれば、スイッチ用押釦を押釦ブラケットの上側部に取付けた構造にしているため、スイッチ用押釦の全体を長く大きく造ることができ、その結果、スイッチ操作がやり易いタイムレコーダーを提供することができるものであって、構造が複雑で製造と組立てが面倒であった押釦ブラケットを、内外二重のブロック構造に造って、スイッチ用押釦の取付けを含めて全て嵌込み作業だけで組立てることができるようにすることによって、タイムレコーダーの製造と組立てを容易にした点、ＯＮ／ＯＦＦスイッチやＬＥＤを取付けたプリント回路基板を内部ブラケットの内部に組込むことにより、半田部を外部に露出しないようにして故障を少くした点、スイッチ用押釦の押し過ぎや乱暴な操作によるＯＮ／ＯＦＦスイッチの破損を防止できるようにした点、並びに、ＯＮ操作したスイッチ用押釦の頭を集中的に発光させて、操作状況の確認を明確に行えるようにした点と相俟って、各種のタイムレコーダーに実施して洵に好適なものである。
【図面の簡単な説明】
【図１】本発明に係る押釦スイッチ装置を実施したタイムレコーダーの側断面図である。
【図２】本発明の要部を拡大して示した断面図である。
【図３】図２のＡ−Ａ線に沿った断面図である。
【図４】スイッチ用押釦の構造を拡大して示した平面図である。
【図５】図４のＢ−Ｂ線に沿った断面図である。
【符号の説明】
１              タイムレコーダー本体
１Ｈ            タイムカード用差込口
１Ｗ            タイムカードガイド通路
３Ａ            タイムカード用ガイドフレーム
１０            外部ブラケット
１０Ｂ          上面
１０Ｃ          開口
１０Ｈ          内部
１０Ｘ          ストッパー部
１１            内部ブラケット
１１Ｈ          内部
１１Ｄ          ガイド板
１１Ｔ          軸受け部
Ｘ              押釦ブラケット
１２            プリント回路基板
１３            ＯＮ／ＯＦＦスイッチ
１４            ＬＥＤ
１５            スイッチ用押釦
１５Ａ          作動軸
１５Ｂ          ストッパー
１５Ｄ          押圧片
１５Ｒ          透光部
【図１】
0003850660.tif 000002
【図２】
0003850660.tif 000003
【図３】
0003850660.tif 000004
【図４】
0003850660.tif 000005
【図５】
0003850660.tif 000006